(57)【特許請求の範囲】
【請求項１】
コータロールに巻回されて走行する原紙の表面に、給液ヘッドから塗工用カラーをカーテン状に流下させて塗布させるようにしてあるカーテンコータにおける上記給液ヘッドからの塗工用カラーの原紙表面への流下位置の上流側位置に、エアー吹付用ダクトに接続されていてエアー吹出口を塗工用カラーのカーテン幅方向に合わせて長くした扁平ボックス状のエアー吹付ノズルと、エアー吸引用ダクトに接続されていてエアー吸込口を塗工用カラーのカーテン幅方向に合わせて長くした扁平ボックス状のエアー吸引ノズルとを、該エアー吸引ノズルが上流側となるように並べて単段又は複数段配置し、且つ上記エアー吹付ノズルのエアー吹出口を塗工用カラーのカーテンに接近させて、エアー吹出口とエアー吸込口を原紙表面に直角方向に向けて該原紙表面に近接させて非接触状態に固定させ、エアー吹付ノズルのエアー吹出口より原紙表面に吹き付けられたエアーを原紙に同伴したエアーとともにエアー吸引ノズルのエアー吸込口より吸引できるようにしたことを特徴とするカーテンコータのエアーカット装置。
【請求項２】
アプリケータロールの表面にカーテン状に流下させた塗工用カラーを原紙表面に塗布させるカーテンコータにおけるアプリケータロールの表面に、給液ヘッドから塗工用カラーをカーテン状に流下させて塗布させるようにして、該給液ヘッドからアプリケータロール表面に流下される塗工用カラーの流下位置の上流側位置に、エアー吹付用ダクトに接続されていてエアー吹出口を塗工用カラーのカーテン幅方向に合わせて長くした扁平ボックス状のエアー吹付ノズルと、エアー吸引用ダクトに接続されていてエアー吸込口を塗工用カラーのカーテン幅方向に合わせて長くした扁平ボックス状のエアー吸引ノズルとを、該エアー吸引ノズルが上流側となるように並べて単段又は複数段配置し、且つ上記エアー吹付ノズルのエアー吹出口を塗工用カラーのカーテンに接近させて、エアー吹出口とエアー吸込口をアプリケータロールの表面に直角方向に向けて該アプリケータロールの表面に近接させて非接触状態に固定させ、エアー吹付ノズルのエアー吹出口よりアプリケータロール表面に吹き付けられたエアーをアプリケータロールの表面を同伴されたエアーとともにエアー吸引ノズルのエアー吸込口より吸引できるようにしたことを特徴とするカーテンコータのエアーカット装置。
【請求項３】
エアー吹付用ダクトに接続した扁平ボックス状のエアー吹付ノズルのエアー吹出口の下流側辺縁部を上流側へ屈曲させて、吹き出されるエアーがエアー吹出口の下流側辺縁部に沿い上流側へ変向させられるようにした請求項１又は２記載のカーテンコータのエアーカット装置。
【請求項４】
エアー吹付用ダクトに接続した扁平ボックス状のエアー吹付ノズルのエアー吹出口の上流側辺縁部とエアー吸引用ダクトに接続した扁平ボックス状のエアー吸引ノズルのエアー吸込口の下流側辺縁部を、エアー吹出口の下流側辺縁部及びエアー吸込口の上流側辺縁部よりも短くして、エアー吹出口とエアー吸込口の連通部を広くした請求項１又は２記載のカーテンコータのエアーカット装置。
【請求項５】
エアー吹付用ダクトに接続した扁平ボックス状のエアー吹付ノズルのエアー吹出口とエアー吸引用ダクトに接続した扁平ボックス状のエアー吸引ノズルのエアー吸込口を原紙表面に直角方向に向けるようにしたことに代えて、該エアー吹出口とエアー吸入口を上流側へ向け斜め下向きとなるようにした請求項１又は２記載のカーテンコータのエアーカット装置。
【発明の詳細な説明】
【０００１】
【発明の属する技術分野】
本発明は製紙工場において製造された原紙に塗工用カラーを塗布するカーテンコータのエアーカット装置に関するものである。
【０００２】
【従来の技術】
製紙工場で製造された紙はそのままの形で直ちに使用されることはなく、それを原紙として更に加工を施すことにより所要の目的に適合する製品としての加工紙とする場合が多い。加工紙には種々のものがあるが、その一つに、塗被加工紙がある。塗被加工紙は、紙の表面に塗工用カラー（塗工液）を塗布させて製造するもので、その装置の１つとしてカーテンコータが知られている。
【０００３】
カーテンコータは、図８にその一例の概略を示す如く、コータロール１に巻回されて、該コータロール１から下流に向けてやや上向きに走行する原紙２の表面に、給液ヘッド３により塗工液としての塗工用カラー４を一様なカーテン４ａとして流下させることにより、該塗工用カラー４を原紙２上に直接塗布させるようにしてある。
【０００４】
上記カーテンコータにおいては、塗工用カラー４のカーテン４ａは薄いものであるため、僅かな風圧が作用しても揺れてプロファイルが乱れてしまい、塗工面が悪化して製品品質を低下させてしまうことになる。一方、近年、上記カーテンコータによる原紙２表面への塗工用カラー４の塗布作業は、高速化されてきているが、原紙２が６００ｍ／ｍｉｎを越えるような高速で走行させられるようになると、この原紙２の走行により引かれて運ばれてくる（同伴させられる）原紙表面層のエアー５の風圧が上記塗工用カラー４のカーテン４ａを揺らしてしまい、塗工面に悪影響を及ぼすという問題が生じるようになる。このことから、従来は、塗工用カラー４のカーテン４ａの上流側位置、すなわち、給液ヘッド３の上流側位置における原紙２の上方に、スクレーパ状のエアーカット用ブレード６を、原紙２の走行方向に向けて下向きとなるよう傾斜させて前端（下端）を原紙２の表面に接触させて配置し、原紙２の走行により引かれて同伴させられる原紙表面層のエアー５を、塗工用カラー４の流下位置の上流側位置にてブレード６により原紙２表面から掻き落すようにして遮断し、上記同伴されるエアー５の風圧により塗工用カラー４のカーテンプロファイルが乱されることを防止するようにしている。
【０００５】
なお、７は塗工用カラー４の流下位置の下流側に配したガイドロール、８は塗工時に原紙２の幅端から流下した塗工用カラー４を回収するためのカラーパンを示す。
【０００６】
【発明が解決しようとする課題】
ところが、上記従来のエアーカット方式では、ブレード６の先端を原紙２の表面に接触させて原紙２の表面のエアー５を掻き取るようにするものであるため、高速走行する原紙２とブレード６との摩擦により紙粉が発生して、該紙粉がブレード６の部分に堆積し、ブレード６の部分に堆積した紙粉が、時々原紙２上に落ちるため、製品に欠陥が生じるという問題がある。又、ブレード６は摩耗するため、定期的な交換が必要となる。
【０００７】
そこで、本発明は、紙粉を発生させることなく、原紙又はロールに同伴したエアーを塗工用カラー流下位置の直前でカットして、塗工用カラーのカーテンプロファイルの乱れを防止することができるようなカーテンコータのエアーカット装置を提供しようとするものである。
【０００８】
【課題を解決するための手段】
本発明は、上記架台を解決するために、コータロールに巻回されて走行する原紙の表面に、給液ヘッドから塗工用カラーをカーテン状に流下させて塗布させるようにしてあるカーテンコータにおける上記給液ヘッドからの塗工用カラーの原紙表面への流下位置の上流側位置に、エアー吹付用ダクトに接続されていてエアー吹出口を塗工用カラーのカーテン幅方向に合わせて長くした扁平ボックス状のエアー吹付ノズルと、エアー吸引用ダクトに接続されていてエアー吸込口を塗工用カラーのカーテン幅方向に合わせて長くした扁平ボックス状のエアー吸引ノズルとを、該エアー吸引ノズルが上流側となるように並べて単段又は複数段配置し、且つ上記エアー吹付ノズルのエアー吹出口を塗工用カラーのカーテンに接近させて、エアー吹出口とエアー吸込口を原紙表面に直角方向に向けて該原紙表面に近接させて非接触状態に固定させ、エアー吹付ノズルのエアー吹出口より原紙表面に吹き付けられたエアーを原紙に同伴したエアーとともにエアー吸引ノズルのエアー吸込口より吸引できるようにした構成としたり、アプリケータロールの表面にカーテン状に流下させた塗工用カラーを原紙表面に塗布させるカーテンコータにおけるアプリケータロールの表面に、給液ヘッドから塗工用カラーをカーテン状に流下させて塗布させるようにして、該給液ヘッドからアプリケータロール表面に流下される塗工用カラーの流下位置の上流側位置に、エアー吹付用ダクトに接続されていてエアー吹出口を塗工用カラーのカーテン幅方向に合わせて長くした扁平ボックス状のエアー吹付ノズルと、エアー吸引用ダクトに接続されていてエアー吸込口を塗工用カラーのカーテン幅方向に合わせて長くした扁平ボックス状のエアー吸引ノズルとを、該エアー吸引ノズルが上流側となるように並べて単段又は複数段配置し、且つ上記エアー吹付ノズルのエアー吹出口を塗工用カラーのカーテンに接近させて、エアー吹出口とエアー吸込口をアプリケータロールの表面に直角方向に向けて該アプリケータロールの表面に近接させて非接触状態に固定させ、エアー吹付ノズルのエアー吹出口よりアプリケータロール表面に吹き付けられたエアーをアプリケータロールの表面を同伴されたエアーとともにエアー吸引ノズルのエアー吸込口より吸引できるようにした構成とする。
【０００９】
原紙の走行又はアプリケータロールの回転に伴って運ばれてきたエアーが塗工用カラー流下位置の直前まで達すると、該エアーは、エアー吹付ノズルを通して吹き付けられるエアーによりカットされて、該吹き付けられたエアーと共にエアー吸引ノズルを通って吸引されることになるため、塗工用カラーのカーテンプロファイルに乱れを与えることを防止することができる。
【００１０】
又、エアー吹付用ダクトに接続した扁平ボックス状のエアー吹付ノズルのエアー吹出口の下流側辺縁部を上流側へ屈曲させて、吹き出されるエアーがエアー吹出口の下流側辺縁部に沿い上流側へ変向させられるようにした構成とすることにより、カットされたエアーをエアー吸込口よりエアー吸引ノズルに効果的に吸引させることができる。
【００１１】
更に、エアー吹付用ダクトに接続した扁平ボックス状のエアー吹付ノズルのエアー吹出口の上流側辺縁部とエアー吸引用ダクトに接続した扁平ボックス状のエアー吸引ノズルのエアー吸込口の下流側辺縁部を、エアー吹出口の下流側辺縁部及びエアー吸込口の上流側辺縁部よりも短くして、エアー吹出口とエアー吸込口の連通部を広くした構成とすることにより、エアー吹付ノズルを通して吹き付けるエアーをエアー吸引ノズル内に回り込み易くすることができて、効果的に吸引させることができる。
【００１２】
更に又、エアー吹付用ダクトに接続した扁平ボックス状のエアー吹付ノズルのエアー吹出口とエアー吸引用ダクトに接続した扁平ボックス状のエアー吸引ノズルのエアー吸込口を原紙表面に直角方向に向けるようにしたことに代えて、該エアー吹出口とエアー吸込口を上流側へ向くよう斜め下向きとした構成とすることにより、同伴されたエアーを正面から上流側へ直接的に押し戻すようにすることができて、効果的にカットして吸引することができる。
【００１３】
【発明の実施の形態】
以下、本発明の実施の形態を図面を参照して説明する。
【００１４】
図１（イ）（ロ）は本発明の実施の一形態を示すもので、図８に一例を示したと同様に、コータロール１に巻回されて走行する原紙２の表面に、給液ヘッド３からカーテン４ａ状に流下させた塗工用カラー４を塗布させるようにしてあるカーテンコータにおいて、上記塗工用カラー４の流下位置よりも上流側の原紙２の上方に、図示しないエアー供給源に接続されたエアー吹付用ダクト９と該エアー吹付用ダクト９に連通接続した扁平ボックス状のエアー吹付ノズル１０とからなるエアー吹付機１１と、図示しないエアー吸引源に接続されたエアー吸引用ダクト１２と該エアー吸引用ダクト１２に連通接続された扁平ボックス状のエアー吸引ノズル１３とからなるエアー吸引機１４とを設置して、エアー吹付ノズル１０から原紙２の表面に吹き付けられたエアー５ａと原紙２に同伴されたエアー５とをエアー吸引ノズル１３より吸引するようにする。
【００１５】
詳述すると、上記エアー吹付ノズル１０は、先端のエアー吹出口１５をカーテン４ａの幅方向に合わせてスリット状に長く形成して、該エアー吹出口１５を原紙２の表面に直角方向に向けて該原紙２の表面に僅かな隙間を保持して非接触となるよう配設すると共に、該エアー吹付ノズル１０の上流側に、エアー吸引ノズル１３を少なくとも先端のエアー吸込口１６が上記エアー吹付ノズル１０のエアー吹出口１５と接触しているように配設して、エアー吸込口１６をエアー吹出口１５と平行にカーテン４ａの幅方向に合わせてスリット状に形成すると共に、原紙２の表面に直角方向に向けて非接触状態にし、且つ上記エアー吹付ノズル１０の下流側壁を、カーテン４ａの上流側３０mm以内の位置にあるようにし、カーテン４ａに達する直前のエアー５をエアー吹付ノズル１０から吹き付けられるエアー５ａでカットしてエアー吸引ノズル１３に吸引させるようにする。
【００１６】
上記エアー吸引ノズル１３のエアー吸引力は、エアー吹付ノズル１０から吹き付けるエアー５ａを吸引する能力を持ち、且つ原紙２の走行速度によるエアー量の変化に対応できるよう多段に調整可能としてあり、たとえば、吸引量をＱ１、吹付量をＱ２としたとき、Ｑ１≧１．５Ｑ２程度として用いるようにしてある。
【００１７】
又、上記エアー吹付ノズル１０は、紙幅方向全体に連通する構造でもよいが、図２に一例を示す如く、エアー吹付用ダクト９からエアー吹出口１５の手前の位置まで延びるようにした分散用仕切板１０ａによって、内部を紙幅方向所要間隔に仕切るような構造としてもよい。
【００１８】
カーテンコータの運転時、走行する原紙２に引かれて運ばれてくる原紙表面層のエアー５が、塗工用カラー４の流下位置に近付いてエアー吹付ノズル１０のエアー吹出口１５とエアー吸引ノズル１３のエアー吸込口１６の位置を通過しようとすると、上記同伴されたエアー５の層は、エアー吹付用ダクト９からエアー吹付ノズル１０を通してエアー吹出口１５から吹き付けられるエアー５ａにより破られることになって、所謂エアーカットされることになり、更に、カットされたエアー５は吹き付けられたエアー５ａと共にエアー吸引ノズル１３を通してエアー吸引用ダクト１２により吸引されることになる。したがって、同伴されたエアー５の風が塗工用カラー４のカーテン４ａに当ることはないので、カーテンプロファイルの乱れを防ぐことができる。
【００１９】
上記において、エアー吹付ノズル１０のカーテン側に面するエアー吹出口１５は下流側辺縁部１５ａが上流側へ全長に亘り傾斜している構成にすると、該エアー吹付ノズル１０のエアー吹出口１５から吹き付けられるエアー５ａが上流側へ向くように変向されるので、カットされたエアー５をエアー吸込口１６よりエアー吸引ノズル１３に効果的に吸引させることができる。又、エアー吹付ノズル１０のエアー吹出口１５は塗工用カラー４のカーテン４ａが流下する位置となる塗布位置の手前側３０mm以内の位置に配置してあることから、エアー吹付ノズル１０のエアー吹出口１５の下流側で、カーテンプロファイルに乱れを与えるような新たなエアーの同伴が発生するようなこともない。
【００２０】
このように、エアー５ａを吹き付けながら同伴されたエアー５を吸引させるようにするので、原紙２の吸い付きがなく、又、同伴されるエアー５を非接触方式でカットできるので、エアーカット時に紙粉が発生することはなく、且つブレード等の消耗品が発生することもない。
【００２１】
次に、図３は本発明の実施の他の形態を示すもので、図１（イ）（ロ）に示したと同様な構成において、エアー吹付ノズル１０のエアー吹出口１５の上流側辺縁部１５ｂとエアー吸込口１６の下流側辺縁部１６ａを短くして、エアー吹出口１５とエアー吸込口１６との連通部１７を広くしたものである。
【００２２】
図３に示すように構成した場合、エアー吹付ノズル１０のエアー吹出口１５の下流側辺縁部１５ａが上流側へ偏向していないが、エアー吹付ノズル１０とエアー吸引ノズル１３との境界に位置する部分の辺縁部１５ｂ,１６ａの長さが短くなっていて、エアー吹出口１５とエアー吸込口１６との連通部１７が広くなっていることから、エアー吹付ノズル１０を通して吹き付けるエアー５ａがエアー吸引ノズル１３内に回り込み易くなるので、吹付エアー５ａは下流側へ殆ど漏れることはなく、上記実施の形態の場合と同様な作用効果が奏し得られる。
【００２３】
次いで、図４は本発明の実施の更に他の形態を示すもので、図１（イ）（ロ）に示したと同様な構成において、エアー吹出口１５とエアー吸込口１６を上流側へ向けて配置して、エアー５ａを斜めに吹き付けて斜めに吸引させるようにしたものである。
【００２４】
図４に示すように構成すると、エアー吹付ノズル１０を通してエアー５ａを上流側へ向けて吹き付けることができるので、走行する原紙２に引かれて運ばれてくるエアー５を、正面から上流側へ直接的に押し戻すようにすることができ、したがって、走行速度が速い原紙２のエアー５であっても効果的にカットして吸引することができる。
【００２５】
図５は本発明の実施の更に別の形態を示すもので、図１（イ）（ロ）に示したと同様な構成において、エアー吹付機１１とエアー吸引機１４との組み合せを１組用いることに代えて、エアー吹付機１１とエアー吸引機１４の組み合せを、原紙２の走行方向に沿い隣接させて２組配置したものである。
【００２６】
図５に示すような構成とすると、エアー５を、原紙２の走行方向で２段階に亘り連続的にカットすることができるので、塗布作業の更なる高速化に対応することができる。
【００２７】
図６は本発明の実施の更に別の形態を示すもので、塗工用カラー４の２層塗りを可能としたものにおいて、エアーカットするようにしたものである。すなわち、コータロール１に巻回されて走行する原紙２の表面に、原紙走行方向に沿い所要間隔を隔てて配した２台の給液ヘッド３により、それぞれ塗工用カラー４をカーテン４ａとして流下させて塗布するようにしてあるカーテンコータにおいて、各給液ヘッド３の塗工用カラー流下位置の上流側に、図１（イ）（ロ）に示したと同様にしてエアー吹付機１１とエアー吸引機１４をそれぞれ配置したものである。
【００２８】
図６に示すような構成を採用すると、原紙２の走行方向に沿って配した２組のエアー吹付機１１とエアー吸引機１４の組み合せがいずれも非接触方式であることから、上流側の給液ヘッド３から流下させた塗工用カラー４の塗布面上流側位置でエアー５をカットできると共に、上流側の給液ヘッド３から流下させた塗工用カラー４の塗布面上においても、下流側のエアー吹付機１１とエアー吸引機１４の作用でエアー５を非接触でカットすることができる。このため、上流側で塗布させた塗工用カラー４が乾燥する前にその下流側で塗工用カラー４を上塗りすることができるようになり、塗布作業のより効率化を図ることができる。
【００２９】
更に、図７は別の型式のカーテンコータへの採用例を示すもので、水平且つ平行に配した一対のアプリケータロール１８の間に原紙２を通すようにして、両方（又は一方）のアプリケータロール１８の表面に給液ヘッド３からカーテン４ａ状に流下させた塗工用カラー４を、ロール表面から原紙２の表面に転写させて塗布させるようにしてあるカーテンコータにおいて、塗工用カラー流下位置の上流側に、図１（イ）（ロ）に示した同様な構成としてあるエアー吹付機１１とエアー吸引機１４の組み合せを、各ノズル１０，１３の先端部のエアー吹出口１５とエアー吸込口１６がアプリケータロール１８の表面に対し近接して非接触状態に配置したものである。
【００３０】
図７に示すような場合にも、アプリケータロール１８の回転移動に引かれて塗工用カラー流下位置の直前まで運ばれてきたエアー５を、エアー吹付機１１とエアー吸引機１４により非接触でカットすることができる。
【００３１】
なお、本発明は上記実施の形態にのみ限定されるものではなく、図３や図４に示したノズル構造をもつエアー吹付機１１とエアー吸引機１４の組み合せを、図５や図６、あるいは図７の実施の形態に適用するようにしてもよいこと、その他本発明の要旨を逸脱しない範囲内において種々変更を加え得ることは勿論である。
【００３２】
【発明の効果】
以上述べた如く、本発明のカーテンコータのエアーカット装置によれば、コータロールに巻回されて走行する原紙の表面に、給液ヘッドから塗工用カラーをカーテン状に流下させて塗布させるようにしてあるカーテンコータにおける上記給液ヘッドからの塗工用カラーの原紙表面への流下位置の上流側位置に、エアー吹付用ダクトに接続されていてエアー吹出口を塗工用カラーのカーテン幅方向に合わせて長くした扁平ボックス状のエアー吹付ノズルと、エアー吸引用ダクトに接続されていてエアー吸込口を塗工用カラーのカーテン幅方向に合わせて長くした扁平ボックス状のエアー吸引ノズルとを、該エアー吸引ノズルが上流側となるように並べて単段又は複数段配置し、且つ上記エアー吹付ノズルのエアー吹出口を塗工用カラーのカーテンに接近させて、エアー吹出口とエアー吸込口を原紙表面に直角方向に向けて該原紙表面に近接させて非接触状態に固定させ、エアー吹付ノズルのエアー吹出口より原紙表面に吹き付けられたエアーを原紙に同伴したエアーとともにエアー吸引ノズルのエアー吸込口より吸引できるようにした構成としたり、アプリケータロールの表面にカーテン状に流下させた塗工用カラーを原紙表面に塗布させるカーテンコータにおけるアプリケータロールの表面に、給液ヘッドから塗工用カラーをカーテン状に流下させて塗布させるようにして、該給液ヘッドからアプリケータロール表面に流下される塗工用カラーの流下位置の上流側位置に、エアー吹付用ダクトに接続されていてエアー吹出口を塗工用カラーのカーテン幅方向に合わせて長くした扁平ボックス状のエアー吹付ノズルと、エアー吸引用ダクトに接続されていてエアー吸込口を塗工用カラーのカーテン幅方向に合わせて長くした扁平ボックス状のエアー吸引ノズルとを、該エアー吸引ノズルが上流側となるように並べて単段又は複数段配置し、且つ上記エアー吹付ノズルのエアー吹出口を塗工用カラーのカーテンに接近させて、エアー吹出口とエアー吸込口をアプリケータロールの表面に直角方向に向けて該アプリケータロールの表面に近接させて非接触状態に固定させ、エアー吹付ノズルのエアー吹出口よりアプリケータロール表面に吹き付けられたエアーをアプリケータロールの表面を同伴されたエアーとともにエアー吸引ノズルのエアー吸込口より吸引できるようにした構成としてあるので、原紙の走行、アプリケータロールの回転により塗工用カラー流下位置へ向けて運ばれてくるエアーを、その直前の位置で、エアー吹付ノズルのエアー吹出口より吹き出されるエアーによりカットして、該カットされたエアーを吹き付けられたエアーと共にエアー吸引ノズルにより吸引することができて、同伴されたエアーの風でカーテンプロファイルに乱れを与えるようなことを未然に防止することができ、この際、エアー吹出口とエアー吸込口は原紙又はロール表面に非接触であるため、接触式のブレードの場合のように紙粉が発生しないので、紙粉落下により製品に欠陥が生じてしまうようなこともなく、又、エアー吹付用ダクトに接続した扁平ボックス状のエアー吹付ノズルのエアー吹出口の下流側辺縁部を上流側へ屈曲させて、吹き出されるエアーがエアー吹出口の下流側辺縁部に沿い上流側へ変向させられるようにした構成とすることにより、カットされたエアーをエアー吸込口よりエアー吸引ノズルに効果的に吸引させることができ、更に、エアー吹付用ダクトに接続した扁平ボックス状のエアー吹付ノズルのエアー吹出口の上流側辺縁部とエアー吸引用ダクトに接続した扁平ボックス状のエアー吸引ノズルのエアー吸込口の下流側辺縁部を、エアー吹出口の下流側辺縁部及びエアー吸込口の上流側辺縁部よりも短くして、エアー吹出口とエアー吸込口の連通部を広くした構成とすることにより、エアー吹付ノズルを通して吹き付けるエアーをエアー吸引ノズル内に回り込み易くすることができて、効果的に吸引させることができ、更に又、エアー吹付用ダクトに接続した扁平ボックス状のエアー吹付ノズルのエアー吹出口とエアー吸引用ダクトに接続した扁平ボックス状のエアー吸引ノズルのエアー吸込口を原紙表面に直角方向に向けるようにしたことに代えて、該エアー吹出口とエアー吸込口を上流側へ向くよう斜め下向きとした構成とすることにより、同伴されたエアーを正面から上流側へ直接的に押し戻すようにすることができて、効果的にカットして吸引することができる、等の優れた効果を発揮する。
【図面の簡単な説明】
【図１】本発明のカーテンコータのエアーカット装置の実施の一形態を示すもので、（イ）は全体の概要図、（ロ）は要部の拡大図である。
【図２】図１（ロ）のＡ方向から見たエアー吹付ノズルの斜視図である。
【図３】本発明の実施の他の形態を示す部分図である。
【図４】本発明の実施の更に他の形態を示す部分図である。
【図５】本発明の実施の更に別の形態を示す概要図である。
【図６】本発明の実施の更に別の形態を示す概要図である。
【図７】異なる型式のカーテンコータへの採用例図である。
【図８】カーテンコータの一例を示す概要図である。
【符号の説明】
１  コータロール
２  原紙
３  給液ヘッド
４  塗工用カラー
４ａ  カーテン
１０  エアー吹付ノズル
１１  エアー吹付機
１３  エアー吸引ノズル
１４  エアー吸引機
１５  エアー吹出口
１５ａ  下流側辺縁部
１５ｂ  上流側辺縁部
１６  エアー吸込口
１６ａ  下流側辺縁部
１７  連通部
１８  アプリケータロール
【図１】
0004403632.tif 000002
【図２】
0004403632.tif 000003
【図３】
0004403632.tif 000004
【図４】
0004403632.tif 000005
【図５】
0004403632.tif 000006
【図６】
0004403632.tif 000007
【図７】
0004403632.tif 000008
【図８】
0004403632.tif 000009